(57)【要約】【課題】人体感知センサの位置ずれ等により、人体感知センサの感知領域が変動するのを防止しうるとともに、オフィスなどの人の出入りが多い場所に設けた場合にも、誤検知や誤作動を防止して、エネルギー消費を有効に抑えることができるようにした、人体感知センサを備えるケーブルユニットを提供する。【解決手段】ケーブル２に人体感知センサ８を設け、この人体感知センサ８の作動により、ケーブル２内を流れる電流をオンまたはオフするようにしたケーブルユニットにおいて、人体感知センサ８には、感知領域Ａ１を絞り込む感知領域制限手段１０を設ける。【選択図】  図３
2016177937.tif 000002
【特許請求の範囲】
【請求項１】
人体感知センサの作動により、ケーブル内を流れる電流をオンまたはオフするようにしたケーブルユニットにおいて、
前記人体感知センサに、人体感知センサの感知領域を絞り込む感知領域制限手段を設けたことを特徴とするケーブルユニット。
【請求項２】
感知領域制限手段が、人体感知センサの感知領域の一部を遮蔽する遮蔽部分を有していることを特徴とする請求項１記載のケーブルユニット。
【請求項３】
感知領域制限手段を、人体感知センサの感知領域を遮蔽しない開口を有する遮蔽材を備えるものとしたことを特徴とする請求項１または２記載のケーブルユニット。
【請求項４】
遮蔽材を、開口が人体感知センサの感知領域の一部に位置するようにして、人体感知センサに固定したことを特徴とする請求項３記載のケーブルユニット。
【請求項５】
遮蔽材を、人体感知センサに変位可能として取り付けたことを特徴とする請求項３記載のケーブルユニット。
【請求項６】
遮蔽材の開口の形状で、人体感知センサの感知領域を絞り込む範囲を調整するようにしたことを特徴とする請求項３記載のケーブルユニット。
【請求項７】
感知領域制限手段が、レンズを有していることを特徴とする請求項１記載のケーブルユニット。
【発明の詳細な説明】
【技術分野】
【０００１】
本発明は、ケーブルの一部に設けたケースに人体感知センサを設け、この人体感知センサの作動により、ケーブル内を流れる電流をオンまたはオフするようになっているケーブルユニットに関する。
【背景技術】
【０００２】
従来のこの種のケーブルユニットとしては、使用者が、電源コードに設けた開閉器における制御手段に近接するか、または接触すると、センサ装置がそれを感知して、電源の開閉を行うようにした開閉器がある(例えば特許文献１参照)。
【０００３】
また、一般電源用壁面コンセントに装着するプラグアダプタに、人体感知センサを設けるとともに、リセット機能を付与した積算型タイマを設け、人体感知センサ部の感知領域における人体の出入りに伴う自動開閉器の頻繁な作動を回避するようにしたものもある(例えば特許文献２参照)。
【先行技術文献】
【特許文献】
【０００４】
【特許文献１】特開２００４−２４７３０１号公報
【特許文献２】特開２００２−１９０３５７号公報
【発明の概要】
【発明が解決しようとする課題】
【０００５】
特許文献１に記載されているものにおいては、電源コードに設けた開閉器の制御手段が位置ずれすることにより、センサ装置の感知領域が変動するので、誤検知や誤作動のおそれがあるだけでなく、使用者が制御手段に近接するか、または接触しないと、センサ装置が感知しない等の問題がある。
【０００６】
特許文献２に記載されているものにおいては、プラグアダプタに、人体感知センサを設けてあるので、人体感知センサの感知領域がプラグアダプタの周辺に限定され、感知領域を任意の場所に設定することができない。
この欠点を補うため、特許文献２には、一般電源用壁面コンセントに接続するプラグに延長コードを設け、その先端に接続したプラグアダプタに人体感知センサを設けることにより、人体感知センサの感知領域を任意の場所に設定できるようにした構成が記載されているが、このような構成によると、電気機器のプラグをこのプラグアダプタのソケットに差し込んだり、その状態で電気機器を移動させたりする際に、プラグアダプタとともに人体感知センサが位置ずれし、その感知領域が変動して、意図しない領域において人を感知するおそれがある。
さらに、特許文献２に記載されているものにおいては、オフィスなどの人の出入りが多い場所に設けた場合には、感知領域内での感知頻度が高く、リセット機能が頻繁に作動してしまい、タイマ機能を有効に活用できず、エネルギー消費を抑えることができないという問題がある。
【０００７】
本発明は、従来の技術が有する上記のような問題点に鑑みてなされたもので、オフィスなどの人の出入りが多い場所に設けた場合にも、誤検知や誤作動を防止して、エネルギー消費を有効に抑えることができるようにした、人体感知センサを備えるケーブルユニットを提供することを目的としている。
【課題を解決するための手段】
【０００８】
本発明によると、上記課題は、次のようにして解決される。
(１)  人体感知センサの作動により、ケーブル内を流れる電流をオンまたはオフするようにしたケーブルユニットにおいて、前記人体感知センサに、人体感知センサの感知領域を絞り込む感知領域制限手段を設ける。
【０００９】
このような構成によると、人体感知センサの感知領域を必要な範囲に絞り込むことができ、もって、人体感知センサをオフィスなどの人の出入りが多い場所に設けた場合にも、誤検知や誤作動を防止することができ、必要とする人体のみを検知して、誤検知や誤作動を防止することができ、エネルギー消費を抑えることができる。
【００１０】
(２)  上記(１)項において、感知領域制限手段が、人体感知センサの感知領域の一部を遮蔽する遮蔽部分を有するものとする。
【００１１】
このような構成によると、遮蔽部材で遮蔽するという簡単な構成でその感知領域を絞り込むことができる。
【００１２】
(３)  上記(１)または(２)項において、感知領域制限手段を、人体感知センサの感知領域を遮蔽しない開口を有する遮蔽材を備えるものとする。
【００１３】
このような構成によると、開口を設けるという簡単な構成で感知領域制限手段の構造を簡素化することができる。
【００１４】
(４)  上記(３)項において、遮蔽材を、開口が人体感知センサの感知領域の一部に位置するようにして、人体感知センサに固定する。
【００１５】
このような構成によると、遮蔽材の開口を特定の用途に合わせた位置に配置することができるため、特定の用途にあった感知領域のみに絞り込むことができる。
【００１６】
(５)  上記(３)項において、遮蔽材を、人体感知センサに変位可能として取り付ける。
【００１７】
このような構成によると、遮蔽材の開口の位置を特定の用途に合わせて採用できるため、開口の位置を変えるという簡易な手段によって、特定の用途にあった感知領域のみに絞り込むことができる。
【００１８】
(６)  上記(３)項において、遮蔽材の開口の形状で、人体感知センサの感知領域を絞り込む範囲を調整するようにする。
【００１９】
このような構成によると、遮蔽材の開口の形状を特定の用途に合わせて採用できるため、開口の形状を変えるという簡易な手段によって、特定の用途にあった感知領域のみに絞り込むことができる。
【００２０】
(７)  上記(１)項において、感知領域制限手段が、レンズを有しているものとする。
【００２１】
このような構成によると、レンズの収束機能を用いて簡易に感知領域を必要な範囲に絞り込むことができる。
【発明の効果】
【００２２】
本発明によると、オフィスなどの人の出入りが多い場所に設けた場合にも、誤検知や誤作動を防止して、エネルギー消費を有効に抑えることができるようにした、人体感知センサを備えるケーブルユニットを提供することができる。
【図面の簡単な説明】
【００２３】
【図１】本発明のケーブルユニットの第１の実施形態の正面図である。
【図２】図１のII−II線における横断平面図である。
【図３】図１のIII−III線における縦断側面図である。
【図４】図１のIV−IV線における遮蔽材のみの拡大縦断側面図である。
【図５】本発明のケーブルユニットの第１の実施形態の使用状態を示す斜視図である。
【図６】本発明のケーブルユニットの第２の実施形態の使用状態を示す斜視図である。
【図７】本発明のケーブルユニットの第３の実施形態の斜視図である。
【図８】同じく第３の実施形態の使用状態を示す縦断側面図である。
【図９】本発明のケーブルユニットの第４の実施形態の使用状態を示す縦断側面図である。
【発明を実施するための形態】
【００２４】
以下、本発明のケーブルユニットの実施形態を、図面を参照して説明する。
図１〜図５は、本発明のケーブルユニットの第１の実施形態を示す。
このケーブルユニット１は、延長コードとしたものであり、２本の被覆導線(図示略)を含むケーブル２の一端にプラグ３を接続するとともに、同じく他端にソケット４を接続し、かつ中間部にほぼ直方体状のケース５を設けたものよりなっている。
【００２５】
ケース５は、正面形状が横長のほぼ長方形のベース６と、その前面を覆う、後面が開口する横長箱状のカバー７とからなり、カバー７の前面左部には、ベース６に取り付けた人体感知センサ(以下、単に人感センサという)８の感知部８ａが臨むようにした感知孔９が設けられている。
【００２６】
感知孔９の中心軸線は、人感センサ８の中心軸線と一致させてあるが、感知孔９は真円ではなく、後述する遮蔽材１１を回り止めするために、一側部に弦部９ａを有する非円形孔としてある。弦部９ａの後面には、突起９ｂを設けてある。
【００２７】
感知孔９には、感知領域制限手段１０をなす遮蔽材１１が嵌合されている。
遮蔽材１１は、赤外線を遮蔽しうる材料よりなり、外形が感知孔９と補形をなす前後方向を向く短寸の筒部１１ａの前端に、ほぼ截頭円錐形のフロントカバー部１１ｂを連設し、かつ筒部１１ａの後端に、鍔部１１ｃを連設したものよりなっている。
本実施形態では人感センサ８として、焦電型赤外線センサを用いたが、遮蔽材１１を用いて感知領域を絞り込むことができるのであれば、たとえば、画像認識センサ、超音波センサ、サーモパイルセンサ等を用いて構成することもできる。また、遮蔽材１１についても、適宜の遮蔽機能を備える材料を用いることが可能である。
【００２８】
フロントカバー部１１ｂには、その中心Ｏより下方に向かって、正面視ほぼ四角形をなす開口１２が設けられている。この開口１２は、中心Ｏより下方(上方または側方とすることもある)に向かって拡開する扇形またはその他の形状とすることもある。さらに、この開口１２は、中心Ｏを含む楕円形その他の形状とし、それによって、感知領域を絞り込むこともある。
筒部１１ａの一側部には、感知孔９の弦部９ａに係合する平削面１３が設けられている。
また、鍔部１１ｃの一部には、カバー７における突起９ｂが係止しうるようにした半径方向の切欠き１４が設けられている。
【００２９】
遮蔽材１１は、その筒部１１ａの平削面１３に感知孔９の弦部９ａが係合し、かつ鍔部１１ｃの切欠き１４にカバー７における突起９ｂが係止するようにして、筒部１１ａを、カバー７における感知孔９に、鍔部１１ｃがカバー７における感知孔９の後端縁部に当接するまで後方より嵌合することにより、カバー７に装着されている。
このとき、筒部１１ａの平削面１３に感知孔９の弦部９ａが係合し、かつ鍔部１１ｃの切欠き１４にカバー７における突起９ｂが係止していることにより、遮蔽材１１は、開口１２がフロントカバー部１１ｂの中心Ｏより下方に位置するように、カバー７に対して位置決めされる。
【００３０】
この状態で、カバー７を、人感センサ８が取り付けられたベース６に装着すると、遮蔽材１１は、人感センサ８の感知部８ａの前方に位置し、図３に示すように、人感センサ８の本来の固有の感知領域Ａ１を、その感知領域Ａ１内の下方に偏位した、赤外線が遮蔽材１１の開口１２を通過する制限された感知領域Ａ２のみに制限し、他の領域を通過しようとする赤外線を遮蔽材１１によって遮蔽するようになっている。
すなわち、この例では、感知領域制限手段１０として、遮蔽部材１１に開口１２を設ける構成を採用することで、人感センサ８の感知領域を、感知領域Ａ１よりも必要な範囲の感知領域Ａ２まで絞り込むことが可能となる。
なお、図示は省略するが、感知領域制限手段１０として、レンズ(図示略)を採用することで、感知領域を必要な範囲に絞り込むことも可能である。
また、感知領域制限手段を備えた人感センサを用いることで、感知領域制限手段１０を別に用いることを省略することも可能である。
さらに、この例では、遮蔽材１１を、フロントカバー部１１ｂに開口１２を設けたものとしてあるが、別の例として、遮蔽材を、遮蔽機能を有する材料と、遮蔽機能を有しない材料との二色成形で形成し、遮蔽機能を有しない材料の部分で感知領域を絞り込むようにしてもよい。
【００３１】
ケース５内における人感センサ８の図２における右側方には、人感センサ８が人を感知したとき、ケーブル２内を流れる電流をオンまたはオフするようにした制御ユニット１５が設けられている。
この制御ユニット１５は、人感センサ８が人を感知したときから予め定めた時間だけ、ケーブル２内を流れる電流をオン状態またはオフ状態に維持しうるタイマ機能を有するものであれば、適宜の公知の構成を採用することができる。
本実施形態では、制御ユニット１５のタイマ機能として、予め時間が設定されたものを用いる例を示したが、制御ユニット１５に設定部を設けて、使用者が設定部を操作することで適宜の時間を設定できるように構成してもよい。      
【００３２】
ケース５は、その中にケーブル２の一部と、人感センサ８と、遮蔽材１１と、制御ユニット１５とを収容した状態で、ベース６とカバー７とを適宜の手段で固定している。
【００３３】
図５に示すように、ケース５におけるベース６の後面の左右両側部には、ケース５を係止しようとする間仕切１６の上端とした被係止部１７に係止するための係止部をなす、左右１対の下向きのフック１８、１８が設けられている。
【００３４】
図５に示すように、左右のフック１８、１８を、間仕切１６の上端とした被係止部１７に係止することにより、ケース５を間仕切１６の上端部に安定よく保持することができ、人感センサ８の位置ずれ等により、人感センサ８の感知領域が変動するのを防止することができる。
また、この状態で、ケーブル２の一端に設けたプラグ３を、間仕切１６に設けた給電用コンセント(図示略)に接続し、かつケーブル２の他端に設けたソケット４を、間仕切１６の上端部に取り付けた照明器具１９に接続することにより、遮蔽材１１の開口１２によって制限された感知領域Ａ２に絞られた人感センサ８の感知領域を、例えば、照明器具１９の照射範囲である、間仕切１６内の一側部に設けたソファー２０の周辺の範囲内に設定することができ、このソファー２０に着座しようとするか、または着座している人のみに人感センサ８が反応して、制御ユニット１５によりケーブル２内の電流の流れを一定時間許容し(オン状態とし)、照明器具１９を一定時間点灯させることができる。
または、人感センサ８の感知領域Ａ２を、間仕切１６によって囲まれた範囲全体に拡大し、この間仕切１６内に人が入ったときだけ、人感センサ８が反応して、制御ユニット１５によりケーブル２内の電流の流れを一定時間許容し(オン状態とし)、照明器具１９を一定時間点灯させるようにすることもできる。
【００３５】
人がソファー２０に着座している間は、人感センサ８がその人を検知し、制御ユニット１５がオン状態を継続するので、照明器具１９を継続して点灯させておくことができる。
【００３６】
人がソファー２０から離れると、人感センサ８は検知対象物が存在しなくなるため、制御ユニット１５が、一定時間の経過後にケーブル２内の電流を流さなくなり、照明器具１９は消灯させられる。
【００３７】
人感センサ８の感知領域は、遮蔽材１１の開口１２によってソファー２０の周辺の範囲内である制限された感知領域Ａ２に絞られているので、間仕切１６の外側を人が通行したり、間仕切１６内のソファー２０から離れた部分に人が立ち入ったとしても人感センサ８がそれに反応することはない。したがって、人感センサ８の誤検知や誤作動を防止することができ、必要とする人体のみを検知して、エネルギー消費を抑えることができる。
また、人感センサ８の開口１２の形状を大きく形成して感知領域Ａ２を、間仕切１６によって囲まれた範囲全体に拡大したときは、間仕切１６の外側を人が通行しても人感センサ８がそれに反応することはない。開口１２の形状を適宜の形状にすることで、感知領域Ａ２を調整可能とすることもできる。そのためには、開口１２の形状が異なるものを複数用意しておいて、それを選択して用いたり、用途に応じた形状の開口１２を用いることもできる。
【００３８】
図６は、本発明のケーブルユニットの第２の実施形態を示す。なお、第１の実施形態におけるのと同一または類似の部材には、同一の符号を付して図示するに止め、それらについての詳細な説明は省略する。
この第２の実施形態においては、ケーブル２に対して、ケース５を、その背面に係止部をなすフック２１を設け、このフック２１を、例えば上記と同様の間仕切１６の被係止部１７に係止したとき、ケース５の一部が、間仕切１６より突出するようにしてある。
【００３９】
また、このケース５の背面に、制御ユニット１５がオン状態となっているときに点灯するようにした表示ランプ２２等の表示手段を設けてある。
【００４０】
この第２の実施形態によると、第１の実施形態におけるのと同様の効果を奏することができるだけなく、表示ランプ２２によって、間仕切内１６に人が居るか否かを、間仕切１６の外部に報知することができる。なお、間仕切り１６へ本発明のケーブルユニットを取り付ける位置は、間仕切り１６の外側から表示ランプ２２を確認できるのであれば、適宜の位置に簡易に取り付けることが可能である。
【００４１】
図７および図８は、本発明のケーブルユニットの第３の実施形態を示す。なお、第１の実施形態におけるのと同一または類似の部材には、同一の符号を付して図示するに止め、それらについての詳細な説明は省略する。
この第３の実施形態においては、ケース５におけるベース６の後面の左右両側部に、係止部をなす上下１対の爪２３、２３を設け、この爪２３、２３を、例えば図８に示すように、水平のビーム２４の長手方向の一部とした被係止部２５に下方より弾圧把持させることにより、ケース５を、ビーム２４に保持することができる。
【００４２】
図８に示すように、ケース５をビーム２４に装着した状態で、図７に示す人感センサ８の制限された感知領域Ａ３を、図８に実線で示すように、ビーム２４の中心軸線から一側方の斜め下方を向く制限された感知領域Ａ３ａに設定することができ、ビーム２４の中心軸線から他側方に居る人には反応しないようにすることができる。
【００４３】
また、第３の実施形態においては、第１の実施形態における感知孔９および遮蔽材１１の筒部１１ａの外形をともに真円とするとともに、突起９ｂを省略し(それに伴って、切欠き１４も省略してもよい)、遮蔽材１１が、ケース５のカバー７と人感センサ８との間に挟まれて、人感センサ８の中心軸線回り、すなわち矢印方向に回転可能としてある。
【００４４】
したがって、図７に示すように、遮蔽材１１を、矢印方向に、例えば１８０°回転させることにより、図８に示す、人感センサ８の感知領域Ａ３ａを、中心Ｏで対向する感知領域Ａ３ｂに設定することができ、ビーム２４の中心軸線から一側方に居る人には反応しないようにすることができる。
【００４５】
このような構成とすると、ビーム２４に対するケース５の係止位置やケース５の向き変更することなく、人感センサ８の制限された感知領域Ａ３を簡単に変位させることができる。
【００４６】
なお、遮蔽材１１が、ケース５のカバー７に対して妄りに回転しないようするため、例えば、遮蔽材１１における鍔部１１ｃを、板ばね(図示略)等をもって、カバー７の後面に向かって押圧させるようにしたり、遮蔽材１１の回転に節度感を持たせるため、例えば、鍔部１１ｃの後面における円周方向に複数の凹入孔(図示略)を設け、遮蔽材１１の複数の回転位置において、上記板ばねの圧接点がいずれかの凹入孔に係合することにより、遮蔽材１１がその位置において安定よく保持されるようにしてもよい。
【００４７】
図９は、本発明のケーブルユニットの第４の実施形態を示す縦断側面図である。なお、第１の実施形態におけるのと同一または類似の部材には、同一の符号を付して図示するに止め、それらについての詳細な説明は省略する。
この第４の実施形態においては、ケース５におけるカバー７の両側面に、図９における下端部から上方に延出し、かつ上端部に外向きの係止爪２６ａを有する複数対の係止片２６、２６を、ケース５の長手方向に適宜の間隔をもって設け、固定構造物２７等の下面(側面等とすることもある)に設けた係合溝２８に、ケース５を下方より嵌合し、各係止片２６の係止爪２６ａを、係合溝２８の両側面に設けた係合孔２９の下縁に係止させることにより、ケース５を係合溝２８に固定している。
【００４８】
このような構成とすると、ケース５を固定構造物２７等に簡易に固定することができる。
【００４９】
本発明は、上記実施形態のみに限定されるものではなく、特許請求の範囲を逸脱することなく、変形した態様での実施が可能である。
【産業上の利用可能性】
【００５０】
本発明は、延長ケーブルだけでなく、照明器具その他の電気機器の電源ケーブル自体に適用したり、その他の用途のケーブルユニットにも適用することができる。
【符号の説明】
【００５１】
Ａ１人体感知センサの感知領域
Ａ２、Ａ３、Ａ３ａ、Ａ３ｂ  制限された感知領域
１  ケーブルユニット
２  ケーブル
３  プラグ
４  ソケット
５  ケース
６  ベース
７  カバー
８  人体感知センサ(人感センサ)
８ａ感知部
９  感知孔
９ａ弦部
９ｂ突起
１０  感知領域制限手段
１１  遮蔽材
１１ａ筒部
１１ｂフロントカバー部
１１ｃ鍔部
１２  開口
１３  平削面
１４  切欠き
１５  制御ユニット
１６  間仕切
１７  被係止部
１８  フック(係止部)
１９  照明器具
２０  ソファー
２１  フック(係止部)
２２  表示ランプ(表示手段)
２３  爪
２４  ビーム
２５  被係止部
２６  係止片
２６ａ係止爪
２７  固定構造物
２８  係合溝
２９  係合孔
【図１】
2016177937.tif 000003
【図２】
2016177937.tif 000004
【図３】
2016177937.tif 000005
【図４】
2016177937.tif 000006
【図５】
2016177937.tif 000007
【図６】
2016177937.tif 000008
【図７】
2016177937.tif 000009
【図８】
2016177937.tif 000010
【図９】
2016177937.tif 000011